(57)【要約】      （修正有）【課題】多段階式の効果によって安全のための警告をする、電源コンセント温度警報器を提供する。【解決手段】ケース体内には、電源コンセントモジュール２と、複数の温度感知部品３１，３２と、処理電子回路モジュール４と、少なくとも一つの発光警告部品６と、少なくとも一つの音声警告部品５が設けられる。温度感知部品３１，３２と電源コンセントモジュール２は接して設けられ、温度感知部品３１，３２と処理電子回路モジュール４はデータ接続され、処理電子回路モジュール４と発光警告部品６（危険発生位置を知らせる）及び音声警告部品５（危険を知らせる）は連動して作動する。以上の構造により、電源コンセントモジュール２がプラグと接続されて通電した時、全体の温度が徐々に上昇することにより、温度感知部品３１，３２が状態変化に応じて処理電子回路モジュール４を作動させる、点滅光及び異なる警告音を発して使用者に注意を促がす。【選択図】図２
0003190957.tif 000002
【実用新案登録請求の範囲】
【請求項１】
ケース体と、電源コンセントモジュールと、複数の温度感知部品と、処理電子回路モジュールと、少なくとも一つの発光警告部品と、少なくとも一つの音声警告部品とからなる電源コンセント温度警報器であって、
前記電源コンセントモジュールは、前記ケース体内に収容され、
前記温度感知部品は、前記電源コンセントモジュールと接して設けられ、
前記処理電子回路モジュールは、前記ケース体内に収容されるとともに前記温度感知部品とデータ接続され、
前記発光警告部品は、前記ケース体内に収容されるとともに、発光点滅による警告を行うために前記処理電子回路モジュールと連動して作動し、
前記音声警告部品は、前記ケース体内に収容されるとともに、複数段階の異なる警告音を生じるために前記処理電子回路モジュールと連動して作動することを特徴とする、電源コンセント温度警報器。
【請求項２】
前記温度感知部品は、温度スイッチであるとともに、第一温度感知部品と、第二温度感知部品とに分けられ、
前記音声警告部品は、第一段階の音声警告を行うために前記第一温度感知部品と連動して作動し、
前記音声警告部品は、第二段階の音声警告を行うために前記第二温度感知部品と連動して作動し、
前記第一段階の音声警告におけるデシベル数は、前記第二段階の音声警告のデシベル数よりも小さく、
前記電源コンセントモジュールは、少なくとも一つの電源コンセントからなるとともに、前記電源コンセントモジュールは電子回路の開閉を切り換えるためのスイッチ部品と連動して作動することを特徴とする、請求項１に記載の電源コンセント温度警報器。
【考案の詳細な説明】
【技術分野】
【０００１】
本考案は、温度を感知して警告音を発する電源コンセントに関し、特に多段階式の効果によって安全のための警告を示す、電源コンセント温度警報器に関する。
【背景技術】
【０００２】
一般に電源延長コードという通称で呼ばれる製品には、例えば電源プラグに一対複数の拡張コンセントを提供するタイプや、長さを増すだけの延長コードが含まれる。
【０００３】
初期における長さを増すだけの延長コードから、後に徐々に機能性（例えば、スイッチ、一対複数の拡張コンセント、タイマー、電圧電流の表示等）を増し、延長コードの機能は日増しに充実してきており、使用者にとっての利便性も向上している。
【０００４】
このうち、通電から生じる発熱の物理特性を応用して、安全性を制御するという設計がある。即ち、使用時に過負荷や接触不良などの問題が発生した場合には、必ず動作温度が上昇するため、温度感知を用いた方法で電源を切ったり電力出力を低下させたりといった安全保護を行うことにより、不慮の事故の発生を防ぐことができる。しかし、この種の方法は、深刻な問題を生じる。例えば、瞬間的に電源が切られることで回路における電器製品の作業が全て停止し、予期せぬ損失を招く（例えば、パソコンデータの未保存や作業の不適切な中断）。また、温度変化は一種の連続状態を呈するため、瞬間的に高温になるという状況は生じない。よって、従来の電源を切るという方法は、理想的な問題解決策とは言えない。
【考案の概要】
【考案が解決しようとする課題】
【０００５】
本考案は、複数の温度感知部品によって電源コンセントモジュールの動作温度を感知し、温度が徐々に上昇している時、温度感知部品は出力状態を変えて処理電子回路モジュールを誘起し、処理電子回路モジュールは温度状況に応じて発光警告部品及び音声警告部品に複数段階の異なる警告音及び点滅光を生じさせることにより、使用者に現状を知らせて緩衝及び対応のための十分な時間を与え、以上の技術により、従来の延長コードにおける瞬間的な電力停止の問題を解決するとともに、多段階式の効果によって安全のための警告を示すという実用進歩性を有する、電源コンセント温度警報器を提供することを目的とする。
【課題を解決するための手段】
【０００６】
上述の目的を達成するため、本考案の電源コンセント温度警報器におけるケース体内には、電源コンセントモジュールと、複数の温度感知部品と、処理電子回路モジュールと、少なくとも一つの発光警告部品と、少なくとも一つの音声警告部品が設けられる。このうち、温度感知部品と電源コンセントモジュールは接して設けられる。温度感知部品と処理電子回路モジュールはデータ接続され、温度変化に応じて出力結果を変える。発光警告部品及び音声警告部品は、処理電子回路モジュールと連動して作動する。温度感知部品の出力結果に応じて、処理電子回路モジュールが異なる出力を行い、これに音声警告部品が対応して複数段階の互いに異なる警告音を発すると同時に、発光警告部品が点滅発光する。以上により、多段階式の効果によって安全のための警告をするという目的を達成する。
【考案の効果】
【０００７】
本考案は、上述の構造及び動作に基づき、使用中における突発的な電力停止の心配がなくなる。即ち、温度が徐々に上昇している時、温度感知部品が第一段階の誘起を行い、発光警告部品が点滅発光するとともに、音声警告部品が適切な音量の音を発することにより、使用者に素早く対応して処理を行うように注意を促がす。温度上昇が続く場合には、第二段階の誘起により、現状を改善するように促がして危険を回避する。また、温度下降時には、上述の警告音が鳴らないようにする。以上により、本考案の目的を達成する。
【図面の簡単な説明】
【０００８】
【図１】本考案の実施例を示した斜視図である。
【図２】本考案の実施例を示した透視図である。
【図３】本考案の実施例の構造を示したブロック図である。
【図４】本考案の実施例の動作を示した概略図１である。
【図５】本考案の実施例の動作を示した概略図２である。
【考案を実施するための形態】
【０００９】
本考案の実施例を示した図１（斜視図）から図３（ブロック図）までを参照する。図に示したように、本考案は、ケース体１と、電源コンセントモジュール２と、複数の温度感知部品と、処理電子回路モジュール４と、少なくとも一つの音声警告部品５と、少なくとも一つの発光警告部品６とからなる。ケース体１は、一側にスイッチ部品７が設けられる。電源コンセントモジュール２は、ケース体１内に収容されるとともにスイッチ部品７と電気的に接続される。前記温度感知部品は、電源コンセントモジュール２と接して設けられる。処理電子回路モジュール４は、ケース体１内に収容されるとともに前記温度感知部品とデータ接続される。音声警告部品５は、ケース体１内に収容されるとともに処理電子回路モジュール４と連動して作動して複数段階の異なる警告音を生じる。発光警告部品６は、ケース体１内に収容されるとともに処理電子回路モジュール４と連動して作動して発光点滅による警告を行う。上述した温度感知部品は、さらに第一温度感知部品３１と、第二温度感知部品３２とに分けられる。
【００１０】
本考案の実施例を示した図３（ブロック図）から図５（動作を示した概略図２）までを合わせて参照する。図に示したように、使用方法は一般的な電源コンセント延長コードと同様に、プラグを電源コンセントモジュール２に挿し込んで、スイッチ部品７を切り替えることで、電流の開閉を制御する。通電時、プラグは電源コンセントモジュール２と接触するとともに、電流の物理特性によって、電流が電源コンセントモジュール２を通過する時に熱エネルギーを生じて温度上昇を引き起こすが、正常な状況の場合、過度に温度が上昇することはないため、温度感知部品が作動することはない。また、長時間使用や放熱不良といった状況、或いは回路の老朽化等の問題の場合は、いずれも温度上昇を引き起こす。この時、低めの動作温度を有する第一温度感知部品３１が、まず処理電子回路モジュール４を誘起する。処理電子回路モジュール４は、状況に応じて音声警告部品５と発光警告部品６へ出力して、低めの音及び点滅光を生じさせることにより、使用者に警告するとともに位置を知らせる。この時は初期状況であるため、使用者は進行中の作業を終わらせて、温度上昇に対処するのに十分な時間を有する（図４を参照）。もし処理をしないまま温度上昇が加速し過ぎた場合、第二温度感知部品３２が作動する。第二温度感知部品３２は、処理電子回路モジュール４を誘起して上述の動作と同様に作動させる。ただし、第二温度感知部品３２の動作温度が第一温度感知部品３１よりも高く、前述よりも危険な状況であるため、処理電子回路モジュール４は、前述と異なる状況であることを音声警告部品５へ出力してより大きな音を生じさせるという点が異なっている。これにより、使用者にすぐに温度異常を処理しなければならないことを知らせ、危険を避ける（図５を参照）。以上の構造及び動作に示したように、本考案は、ケース体１に収容された複数の温度感知部品が段階的に温度を測定することにより、音声警告部品５が多段階の出力変化を用いて、使用者に現状を知らせて危険を避けるとともに、進行中の作業を終えるのに十分な時間があるという技術的特長を有する。これにより、多段階式の警告表示による安全効果という実用進歩性を達成する。
【００１１】
本考案の電源コンセント温度警報器は、以下の点において従来技術を改善することができる。即ち、複数の温度感知部品による測定に異なるデシベル数を合わせることによって、互いに異なる複数の警告音を出力し、使用者に現状を知らせることにより、多段階式の警告表示による安全効果という利点を有する。加えて、上述の構造は、製造が極めて簡単な簡易構造であるという特長を有する。
【００１２】
上述した内容は本考案の望ましい実施例について述べたものであり、これによって本考案の請求の範囲を限定するものではない。よって、本考案の明細書及び図の内容を利用してなされた簡易装飾及び同等の効果を有する構造変化などは、いずれも本考案の請求範囲に含まれることを断っておく。
【符号の説明】
【００１３】
１            ケース体
２            電源コンセントモジュール
３１          第一温度感知部品
３２          第二温度感知部品
４            処理電子回路モジュール
５            音声警告部品
６            発光警告部品
７            スイッチ部品
【図１】
0003190957.tif 000003
【図２】
0003190957.tif 000004
【図３】
0003190957.tif 000005
【図４】
0003190957.tif 000006
【図５】
0003190957.tif 000007
【手続補正書】
【提出日】平成26年4月9日(2014.4.9)
【手続補正１】
【補正対象書類名】図面
【補正対象項目名】全図
【補正方法】変更
【補正の内容】
【図１】
0003190957.tif 000008
【図２】
0003190957.tif 000009
【図３】
0003190957.tif 000010
【図４】
0003190957.tif 000011
【図５】
0003190957.tif 000012